(57)【要約】【課題】車両に対する愛着、追憶、および懐古といった感覚をもたらすことができ、車両の精神的価値を向上させる。【解決手段】芳香発生装置１１は、乗員状態検出部２１と、匂い検出部２２と、匂い放出部２３と、匂い記憶部２５と、制御部２９とを備える。匂い検出部２２は、車両内の匂いを検出する。匂い放出部２３は、匂いを調合して、車両内に匂いを放出する。匂い記憶部２５は、乗員状態検出部２１によって乗員の精神状態が検出された場合に匂い検出部２２によって検出された車両内の匂いを、乗員の精神状態に対応付けて記憶する。制御部２９は、匂い記憶部２５に記憶されている乗員の精神状態とほぼ同等の精神状態が乗員状態検出部２１によって検出された場合に、検出された精神状態とほぼ同等の乗員の精神状態に対応付けられている車両内の匂いとほぼ同等の匂いを匂い放出部２３に放出させる。【選択図】図１
2016199098.tif 000002
【特許請求の範囲】
【請求項１】
車両に設けられた芳香発生装置であって、
乗員の精神状態を検出する乗員状態検出部と、
前記車両内の匂いを検出する匂い検出部と、
匂いを調合して、前記車両内に放出する匂い放出部と、
前記乗員状態検出部によって前記乗員の精神状態が検出された場合に前記匂い検出部によって検出された前記車両内の匂いを、前記乗員の精神状態に対応付けて記憶する匂い記憶部と、
前記匂い記憶部に記憶されている前記乗員の精神状態とほぼ同等の精神状態が前記乗員状態検出部によって検出された場合に、前記匂い記憶部において前記乗員状態検出部によって検出された前記精神状態とほぼ同等の前記乗員の精神状態に対応付けられている前記車両内の匂いとほぼ同等の匂いを前記匂い放出部に放出させる制御部と、
を備える、
ことを特徴とする芳香発生装置。
【請求項２】
車両に設けられた芳香発生装置であって、
乗員の記念日を記憶する乗員情報記憶部と、
前記車両内の匂いを検出する匂い検出部と、
匂いを調合して、前記車両内に放出する匂い放出部と、
前記乗員情報記憶部に記憶されている前記乗員の記念日に前記乗員が前記車両に乗車している場合に前記匂い検出部によって検出された前記車両内の匂いを、前記乗員の記念日に対応付けて記憶する匂い記憶部と、
前記匂い記憶部に記憶されている前記乗員の記念日の周辺のタイミングで、前記匂い記憶部において前記乗員の記念日に対応付けられている前記車両内の匂いとほぼ同等の匂いを前記匂い放出部に放出させる制御部と、
を備える、
ことを特徴とする芳香発生装置。
【請求項３】
前記匂い検出部は、前記車両内の匂いを所定周期にて検出することによって、前記車両の通常時の匂いを検出し、
前記制御部は、前記乗員状態検出部によって検出された前記乗員の精神状態に応じて、前記匂い検出部に前記車両内の匂いを検出させ、前記車両の通常時の匂いと前記乗員の精神状態に応じた前記車両内の匂いとがほぼ同等であるか否かを判定し、前記車両の通常時の匂いと前記乗員の精神状態に応じた前記車両内の匂いとがほぼ同等である場合に、前記車両の通常時の匂いとは異なる匂いを前記匂い放出部に放出させる、
ことを特徴とする請求項１に記載の芳香発生装置。
【請求項４】
前記匂い検出部は、前記車両内の匂いを所定周期にて検出することによって、前記車両の通常時の匂いを検出し、
前記制御部は、前記乗員情報記憶部に記憶されている前記乗員の記念日に前記乗員が前記車両に乗車している場合に、前記匂い検出部に前記車両内の匂いを検出させ、前記車両の通常時の匂いと前記乗員の記念日に応じた前記車両内の匂いとがほぼ同等であるか否かを判定し、前記車両の通常時の匂いと前記乗員の記念日に応じた前記車両内の匂いとがほぼ同等である場合に、前記車両の通常時の匂いとは異なる匂いを前記匂い放出部に放出させる、
ことを特徴とする請求項２に記載の芳香発生装置。
【発明の詳細な説明】
【技術分野】
【０００１】
この発明は、芳香発生装置に関する。
【背景技術】
【０００２】
従来、所定の調合比で芳香を生成する芳香発生手段と、乗員の着座状態を検出する着座状態検出手段と、車室内の脱臭・消臭処理を行う脱臭・消臭手段と、乗員の着座状態に基づいて、芳香発生手段と脱臭・消臭手段を制御する制御手段とを備える空気清浄制御装置が知られている（例えば、特許文献１参照）。この空気清浄制御装置は、芳香の調合比が登録された調合テーブルを記憶するサーバと通信する通信手段を有し、通信手段を介してサーバの調合テーブルに登録された着座乗員ごとの調合比を取得し、当該調合比に基づいて芳香発生手段を制御することで乗員ごとの嗜好に合った芳香を発生させている。
【先行技術文献】
【特許文献】
【０００３】
【特許文献１】特開２０１０−２３５０４１号公報
【発明の概要】
【発明が解決しようとする課題】
【０００４】
しかしながら、上記従来技術に係る空気清浄制御装置によれば、乗員ごとに異なる香りを放出させるが、その香りはあくまで乗員の嗜好に合ったものであり、乗員が自身で嗜好する香りを用意して放出する過程を自動化しているだけである。この空気清浄制御装置によれば、車両に対する愛着、追憶、および懐古といった感覚をもたらすことはできず、車両の精神的価値を高めることはできない。
【０００５】
本発明は上記事情に鑑みてなされたもので、車両に対する愛着、追憶、および懐古といった感覚をもたらすことができ、車両の精神的価値を向上させることが可能な芳香発生装置を提供することを目的としている。
【課題を解決するための手段】
【０００６】
上記課題を解決して係る目的を達成するために、本発明は以下の態様を採用した。
（１）本発明の一態様に係る芳香発生装置は、車両に設けられた芳香発生装置であって、乗員の精神状態を検出する乗員状態検出部（例えば、実施形態での乗員状態検出部２１）と、前記車両内の匂いを検出する匂い検出部（例えば、実施形態での匂い検出部２２）と、匂いを調合して、前記車両内に放出する匂い放出部（例えば、実施形態での匂い放出部２３）と、前記乗員状態検出部によって前記乗員の精神状態が検出された場合に前記匂い検出部によって検出された前記車両内の匂いを、前記乗員の精神状態に対応付けて記憶する匂い記憶部（例えば、実施形態での匂い記憶部２５）と、前記匂い記憶部に記憶されている前記乗員の精神状態とほぼ同等の精神状態が前記乗員状態検出部によって検出された場合に、前記匂い記憶部において前記乗員状態検出部によって検出された前記精神状態とほぼ同等の前記乗員の精神状態に対応付けられている前記車両内の匂いとほぼ同等の匂いを前記匂い放出部に放出させる制御部（例えば、実施形態での制御部２９）と、を備える。
【０００７】
（２）本発明の一態様に係る芳香発生装置は、車両に設けられた芳香発生装置であって、乗員の記念日を記憶する乗員情報記憶部（例えば、実施形態での運転者情報記憶部２４）と、前記車両内の匂いを検出する匂い検出部（例えば、実施形態での匂い検出部２２）と、匂いを調合して、前記車両内に放出する匂い放出部（例えば、実施形態での匂い放出部２３）と、前記乗員情報記憶部に記憶されている前記乗員の記念日に前記乗員が前記車両に乗車している場合に前記匂い検出部によって検出された前記車両内の匂いを、前記乗員の記念日に対応付けて記憶する匂い記憶部（例えば、実施形態での匂い記憶部２５）と、前記匂い記憶部に記憶されている前記乗員の記念日の周辺のタイミングで、前記匂い記憶部において前記乗員の記念日に対応付けられている前記車両内の匂いとほぼ同等の匂いを前記匂い放出部に放出させる制御部（例えば、実施形態での制御部２９）と、を備える。
【０００８】
（３）上記（１）に記載の芳香発生装置では、前記匂い検出部は、前記車両内の匂いを所定周期にて検出することによって、前記車両の通常時の匂いを検出し、前記制御部は、前記乗員状態検出部によって検出された前記乗員の精神状態に応じて、前記匂い検出部に前記車両内の匂いを検出させ、前記車両の通常時の匂いと前記乗員の精神状態に応じた前記車両内の匂いとがほぼ同等であるか否かを判定し、前記車両の通常時の匂いと前記乗員の精神状態に応じた前記車両内の匂いとがほぼ同等である場合に、前記車両の通常時の匂いとは異なる匂いを前記匂い放出部に放出させてもよい。
【０００９】
（４）上記（２）に記載の芳香発生装置では、前記匂い検出部は、前記車両内の匂いを所定周期にて検出することによって、前記車両の通常時の匂いを検出し、前記制御部は、前記乗員情報記憶部に記憶されている前記乗員の記念日に前記乗員が前記車両に乗車している場合に、前記匂い検出部に前記車両内の匂いを検出させ、前記車両の通常時の匂いと前記乗員の記念日に応じた前記車両内の匂いとがほぼ同等であるか否かを判定し、前記車両の通常時の匂いと前記乗員の記念日に応じた前記車両内の匂いとがほぼ同等である場合に、前記車両の通常時の匂いとは異なる匂いを前記匂い放出部に放出させてもよい。
【発明の効果】
【００１０】
上記（１）に記載の態様に係る芳香発生装置によれば、乗員の精神状態に対応付けられた車両内の匂いの記憶に基づいて、運転中の楽しい精神状態を後に呼び覚ますことができ、愛着、追憶、および懐古といった感覚をもたらすことができる。これにより、車両の精神的価値を高めることが可能になる。
【００１１】
上記（２）に記載の態様に係る芳香発生装置によれば、乗員の記念日の周辺のタイミングで乗員の記念日に対応付けられている車両内の匂いの記憶に基づいて、乗員の記念日が近いことを乗員に知らせることができる。
【００１２】
さらに、上記（３）の場合、乗員の精神状態に通常時とは異なる匂いを対応付けて記憶させることにより、この匂いを用いて適宜のタイミングで乗員の精神状態を喚起し易くすることができる。
【００１３】
さらに、上記（４）の場合、乗員の記念日に通常時とは異なる匂いを対応付けて記憶させることにより、この匂いを用いて適宜のタイミングで乗員の記念日を喚起し易くすることができる。
【図面の簡単な説明】
【００１４】
【図１】本発明の実施形態に係る芳香発生装置の構成図である。
【図２】本発明の実施形態に係る芳香発生装置の処理を示すフローチャートであり、定常的な匂いを検出する処理を示すフローチャートである。
【図３】本発明の実施形態に係る芳香発生装置の処理を示すフローチャートであり、匂いスナップショット作成の処理を示すフローチャートである。
【図４】本発明の実施形態に係る芳香発生装置の処理を示すフローチャートであり、匂いスナップショット再現の処理を示すフローチャートである。
【発明を実施するための形態】
【００１５】
以下、本発明の一実施形態に係る芳香発生装置について添付図面を参照しながら説明する。
【００１６】
本実施形態による芳香発生システム１０は、図１に示すように、車両に搭載されている芳香発生装置１１と、外部サーバ１２と、を備える。
芳香発生装置１１は、例えば、乗員状態検出部２１と、匂い検出部２２と、匂い放出部２３と、運転者情報記憶部２４と、匂い記憶部２５と、スナップショット作成スイッチ２６と、スナップショット再現スイッチ２７と、外部通信部２８と、制御部２９とを備える。
【００１７】
乗員状態検出部２１は、車室内前席カメラ３１と、車室内後席カメラ３２と、マイク３３と、脳波センサ３４と、血圧センサ３５とを備える。
車室内前席カメラ３１は、車室内の前席に着座する運転者および乗員の少なくとも顔を撮像する。車室内前席カメラ３１は、例えば、楽しい状態および嬉しい状態などの所定の精神状態に特徴的な運転者および乗員の表情などを撮像する。
車室内後席カメラ３２は、車室内の後席に着座する乗員の少なくとも顔を撮像する。車室内後席カメラ３２は、例えば、楽しい状態および嬉しい状態などの所定の精神状態に特徴的な運転者および乗員の表情などを撮像する。
マイク３３は、車室内の音声を検出する。マイク３３は、例えば、車室内の運転者および乗員の笑い声などのように楽しい状態および嬉しい状態などの所定の精神状態に特徴的な音声を検出する。
脳波センサ３４は、車両の乗員の脳波を検出する。脳波センサ３４は、例えば、楽しい状態および嬉しい状態などの所定の精神状態に特徴的な乗員の脳波または脳波の変化を検出する。
血圧センサ３５は、車両の乗員の血圧を検出する。血圧センサ３５は、例えば、楽しい状態および嬉しい状態などの所定の精神状態に特徴的な乗員の血圧または血圧の変化を検出する。
【００１８】
匂い検出部２２は、車室内の匂いを検出する。匂い検出部２２は、例えば、車室内の匂いを所定周期にて検出することによって、車両の通常時の匂いの特徴量を検出する。
匂い放出部２３は、運転者および乗員によって指定される適宜の匂いを調合して、調合した匂いを車室内に放出する。匂い放出部２３は、匂いの調合に用いる複数の香料を備え、予め記憶している調合データに応じて複数の香料を調合することによって、所望の匂いを生成する。
【００１９】
運転者情報記憶部２４は、運転者および乗員の記念日などの情報を記憶する。記念日などの情報は、予め運転者および乗員が入力した情報または他の情報機器から転送された情報などである。
匂い記憶部２５は、匂い検出部２２によって検出された匂いを、運転者および乗員の各種情報に対応付けて記憶する。匂い記憶部２５は、例えば、乗員状態検出部２１によって乗員の所定の精神状態が検出された場合に匂い検出部２２によって検出された匂いを、乗員の所定の精神状態に対応付けて記憶する。匂い記憶部２５は、例えば、運転者情報記憶部２４に記憶されている運転者または乗員の記念日に運転者または乗員が車両に乗車している場合に匂い検出部２２によって検出された匂いを、運転者または乗員の記念日に対応付けて記憶する。
【００２０】
スナップショット作成スイッチ２６は、運転者および乗員によって操作可能な位置に配置されている。運転者および乗員によって操作可能な位置は、例えば、インストルメントパネル、コンソール、ステアリング、各座席、および各座席の裏側の部位などである。スナップショット作成スイッチ２６は、運転者または乗員が車室内の匂いを匂い検出部２２によって検出することを指示するための操作を受け付ける。スナップショット作成スイッチ２６は、運転者または乗員の操作に応じて匂いスナップショットの作成を指示する信号を出力する。
【００２１】
スナップショット再現スイッチ２７は、運転者および乗員によって操作可能な位置に配置されている。スナップショット再現スイッチ２７は、運転者または乗員が匂い記憶部２５または外部サーバ１２に記憶している匂いとほぼ同等の匂いを匂い放出部２３によって放出することを指示するための操作を受け付ける。スナップショット再現スイッチ２７は、運転者または乗員の操作に応じて匂いスナップショットの再現を指示する信号を出力する。
【００２２】
外部通信部２８は、制御部１９が外部サーバ１２と通信を行うための通信インタフェースである。
制御部２９は、芳香発生装置１１の全体の動作を統括的に制御する。制御部２９は、ＣＰＵ、ＲＯＭ、およびＲＡＭを備える。ＲＯＭは、芳香発生装置１１の全体の動作を統括的に制御するためにＣＰＵが実行するプログラムおよびデータなどを記憶する。ＲＡＭは、ＣＰＵの処理に用いられる各種データを一時的に記憶する。
制御部２９は、例えば、車室内前席カメラ３１および車室内後席カメラ３２から出力される画像データを処理して、楽しい状態および嬉しい状態などの所定の精神状態に特徴的な運転者および乗員の表情を認識することによって、運転者および乗員の所定の精神状態を検知する。制御部２９は、例えば、マイク３３から出力される音声データを処理して、楽しい状態および嬉しい状態などの所定の精神状態に特徴的な運転者および乗員の音声を認識することによって、運転者および乗員の所定の精神状態を検知する。制御部２９は、例えば、脳波センサ３４および血圧センサ３５から出力される各信号を処理して、楽しい状態および嬉しい状態などの所定の精神状態に特徴的な運転者および乗員の状態を検知する。
外部サーバ１２は、制御部２９からの指示に応じて、匂い記憶部２５に記憶されるデータと同一のデータを記憶する。
【００２３】
本実施の形態による芳香発生装置１０は上記構成を備えており、次に、この芳香発生装置１０の動作について説明する。
【００２４】
以下に、定常的な匂いを検出する処理について説明する。
先ず、制御部２９は、図２に示すように、車室内の匂いを所定周期にて検出するための一定時間が経過したか否かを判定する（ステップＳ０１）。
この判定結果が「ＮＯ」の場合（ステップＳ０１：ＮＯ）には、制御部２９は、ステップＳ０１の判定処理を繰り返し実行する。
一方、この判定結果が「ＹＥＳ」の場合（ステップＳ０１：ＹＥＳ）には、制御部２９は、処理をステップＳ０２に進める。
【００２５】
次に、制御部２９は、匂い検出部２２によって車室内の匂いの特徴量を検出する（ステップＳ０２）。
次に、制御部２９は、匂い検出部２２によって検出された車室内の匂いの特徴量の履歴を、内蔵するＲＡＭに記憶する（ステップＳ０３）。
次に、制御部２９は、内蔵するＲＡＭに記憶した車室内の匂いの特徴量の履歴が所定回数に到達したか否かを判定する（ステップＳ０４）。
この判定結果が「ＮＯ」の場合（ステップＳ０４：ＮＯ）には、制御部２９は、処理をステップＳ０１に戻す。
一方、この判定結果が「ＹＥＳ」の場合（ステップＳ０４：ＹＥＳ）には、制御部２９は、処理をステップＳ０５に進める。
【００２６】
次に、制御部２９は、内蔵するＲＡＭに直近の所定回数に亘って記憶した複数の車室内の匂いの特徴量が類似しているか否かを判定する（ステップＳ０５）。
この判定結果が「ＮＯ」の場合（ステップＳ０５：ＮＯ）には、制御部２９は、処理をステップＳ０１に戻す。
一方、この判定結果が「ＹＥＳ」の場合（ステップＳ０５：ＹＥＳ）には、制御部２９は、処理をステップＳ０６に進める。
次に、制御部２９は、内蔵するＲＡＭにおいて類似していると判定された匂いの特徴量を、車室内の定常的な匂いデータとして匂い記憶部２５および外部サーバ１２に記憶する（ステップＳ０６）。そして、制御部２９は、処理をエンドに進める。
【００２７】
以下に、匂いスナップショット作成の処理について説明する。
先ず、制御部２９は、図３に示すように、匂いスナップショットを作成するか否かを判定する（ステップＳ１１）。制御部２９は、例えば、スナップショット作成スイッチ２６が運転者または乗員の操作に応じて匂いスナップショットの作成を指示する信号を出力したか否かを判定する。制御部２９は、例えば、乗員状態検出部２１によって運転者および乗員の楽しい状態および嬉しい状態などの所定の精神状態が検出されたか否かを判定する。制御部２９は、例えば、運転者情報記憶部２４に記憶されている運転者および乗員の記念日に運転者または乗員が車両に乗車しているか否かを判定する。
これらの判定結果の何れもが「ＮＯ」の場合（ステップＳ１１：ＮＯ）には、制御部２９は、ステップＳ１１の判定処理を繰り返し実行する。
一方、これらの判定結果の少なくとも何れかが「ＹＥＳ」の場合（ステップＳ１１：ＹＥＳ）には、制御部２９は、処理をステップＳ１２に進める。
【００２８】
次に、制御部２９は、匂い検出部２２によって車室内の匂いの特徴量を検出する（ステップＳ１２）。
次に、制御部２９は、匂い検出部２２によって検出された車室内の匂いの特徴量と、匂い記憶部２５または外部サーバ１２に記憶している車室内の定常的な匂いデータの特徴量が類似しているか否かを判定する（ステップＳ１３）。
この判定結果が「ＮＯ」の場合（ステップＳ１３：ＮＯ）には、制御部２９は、処理をステップＳ１４に進める。
一方、この判定結果が「ＹＥＳ」の場合（ステップＳ１３：ＹＥＳ）には、制御部２９は、処理をステップＳ１５に進める。
次に、制御部２９は、匂い検出部２２によって検出された車室内の匂いの特徴量と、各種情報とを対応付けて匂い記憶部２５および外部サーバ１２に記憶する（ステップＳ１４）。そして、制御部２９は、処理をエンドに進める。各種情報は、例えば、乗員状態検出部２１によって検出される運転者および乗員の楽しい状態および嬉しい状態などの所定の精神状態の情報、または運転者情報記憶部２４に記憶されている運転者または乗員の記念日の情報などである。
【００２９】
次に、制御部２９は、車室内の定常的な匂いデータの特徴量とは異なる所定の匂いを匂い放出部２３によって放出させる（ステップＳ１５）。車室内の定常的な匂いデータの特徴量とは異なる所定の匂いは、例えば、予め運転者または乗員によって指定されて匂い記憶部２５および外部サーバ１２に記憶されている。
次に、制御部２９は、匂い放出部２３によって放出された車室内の匂いの特徴量と、各種情報とを対応付けて匂い記憶部２５および外部サーバ１２に記憶する（ステップＳ１６）。そして、制御部２９は、処理をエンドに進める。各種情報は、例えば、乗員状態検出部２１によって検出される運転者および乗員の楽しい状態および嬉しい状態などの所定の精神状態の情報、または運転者情報記憶部２４に記憶されている運転者または乗員の記念日の情報などである。
【００３０】
以下に、匂いスナップショット再現の処理について説明する。
先ず、制御部２９は、図４に示すように、匂いスナップショットを再現するか否かを判定する（ステップＳ２１）。制御部２９は、例えば、スナップショット再現スイッチ２７が運転者または乗員の操作に応じて匂いスナップショットの再現を指示する信号を出力したか否かを判定する。制御部２９は、例えば、匂い記憶部２５または外部サーバ１２に記憶されている所定の精神状態とほぼ同等の乗員の精神状態が乗員状態検出部２１によって検出されたか否かを判定する。制御部２９は、例えば、匂い記憶部２５または外部サーバ１２に記憶されている運転者および乗員の記念日に運転者または乗員が車両に乗車しているか否かを判定する。
これらの判定結果の何れもが「ＮＯ」の場合（ステップＳ２１：ＮＯ）には、制御部２９は、ステップＳ１１の判定処理を繰り返し実行する。
一方、これらの判定結果の少なくとも何れかが「ＹＥＳ」の場合（ステップＳ２１：ＹＥＳ）には、制御部２９は、処理をステップＳ２２に進める。
【００３１】
次に、制御部２９は、匂いスナップショットを作成した車両と同一車両において匂いスナップショットの再現が指示されたか否かを判定する（ステップＳ２２）。制御部２９は、例えば、運転者情報記憶部２４に記憶されている運転者および乗員の記念日などの情報と一致する情報が匂い記憶部２５に記憶されているか否かを判定することによって、車両の同一性を判定してもよい。
この判定結果が「ＮＯ」の場合（ステップＳ２２：ＮＯ）には、制御部２９は、処理をステップＳ２４に進める。
一方、この判定結果が「ＹＥＳ」の場合（ステップＳ２２：ＹＥＳ）には、制御部２９は、処理をステップＳ２３に進める。
次に、制御部２９は、所定の車両内の匂いの特徴量を匂い記憶部２５から取得する（ステップＳ２３）。所定の車両内の匂いの特徴量は、例えば、乗員状態検出部２１によって検出された乗員の精神状態とほぼ同等の乗員の精神状態に対応付けて匂い記憶部２５に記憶されている車両内の匂いの特徴量である。所定の車両内の匂いの特徴量は、例えば、運転者または乗員の記念日に対応付けて匂い記憶部２５に記憶されている車両内の匂いの特徴量である。
また、制御部２９は、所定の車両内の匂いの特徴量を外部サーバ１２から取得する（ステップＳ２４）。所定の車両内の匂いの特徴量は、例えば、乗員状態検出部２１によって検出された乗員の精神状態とほぼ同等の乗員の精神状態に対応付けて外部サーバ１２に記憶されている車両内の匂いの特徴量である。所定の車両内の匂いの特徴量は、例えば、運転者または乗員の記念日に対応付けて外部サーバ１２に記憶されている車両内の匂いの特徴量である。
【００３２】
次に、制御部２９は、匂い記憶部２５または外部サーバ１２から取得した車両内の匂いの特徴量とほぼ同等の匂いを匂い放出部２３に放出させる（ステップＳ２５）。そして、制御部２９は、処理をエンドに進める。
【００３３】
上述したように、本実施形態による芳香発生装置１０によれば、運転者および乗員の精神状態に対応付けられた車両内の匂いの記憶に基づいて、運転中の楽しい精神状態を後に呼び覚ますことができる。車両は、旅行またはライフイベントなど、さまざまな思い出深い場面をともにする空間であり、その場面の記憶を匂いとともに残しておき、後になってから呼び覚ますことで、愛着、追憶、および懐古といった感覚をもたらすことができる。これにより、車両の精神的価値を高めることが可能になる。
ある匂いを嗅いだとき、当時の感情などがよみがえることがある。この現象はプルースト効果と呼ばれ、記憶または感情の処理と、嗅覚情報の処理が、ともに大脳辺縁系で処理されていることに起因する。車両での思い出深い場面を匂いと関連付けて運転者および乗員に記憶させると同時に、匂い記憶部２５および外部サーバ１２に記憶しておき、別の運転機会でその匂いを再現することで、当時の場面の記憶を呼び覚まし、車両の精神的価値を高めることができる。
また、運転者および乗員の記念日の周辺のタイミングで運転者または乗員の記念日に対応付けられている車両内の匂いの記憶に基づいて、運転者または乗員の記念日が近いことを乗員に知らせることができる。
【００３４】
さらに、運転者および乗員の精神状態または記念日に通常時とは異なる匂いを対応付けて記憶することにより、この匂いを用いて適宜のタイミングで運転者および乗員の精神状態または記念日を喚起し易くすることができる。
さらに、外部サーバ１２との間で各種データの送受信を行うので、レンタカー、カーシェアリング、または新車への乗り換えなどが行われた場合であっても、過去の車両での出来事にまつわる匂いを再現することができ、過去の車両に関する愛着を継承することができる。
【００３５】
上述の実施形態は、例として提示したものであり、発明の範囲を限定することは意図していない。上述の新規な実施形態は、その他の様々な形態で実施されることが可能であり、発明の要旨を逸脱しない範囲で、種々の省略、置き換え、変更を行うことができる。上述の実施形態やその変形は、発明の範囲や要旨に含まれるとともに、特許請求の範囲に記載された発明とその均等の範囲に含まれる。
【符号の説明】
【００３６】
１０…芳香発生システム、１１…芳香発生装置、１２…外部サーバ、２１…乗員状態検出部、２２…匂い検出部、２３…匂い放出部、２４…運転者情報記憶部（乗員情報記憶部）、２５…匂い記憶部、２６…スナップショット作成スイッチ、２７…スナップショット再現スイッチ、２８…外部通信部、２９…制御部、３１…車室内前席カメラ、３２…車室内後席カメラ、３３…マイク、３４…脳波センサ、３５…血圧センサ
【図１】
2016199098.tif 000003
【図２】
2016199098.tif 000004
【図３】
2016199098.tif 000005
【図４】
2016199098.tif 000006